(57)【要約】【課題】クラッチ操作系の組立性やメンテナンス性を向上させる。【解決手段】作業機クラッチ操作具及び刈取クラッチ操作具に兼用される作業機・刈取レバー２２を備え、該作業機・刈取レバー２２の操作に応じて作業機クラッチ及び刈取クラッチを選択的に入り／切り動作させるコンバイン１において、作業機・刈取レバー２２と、作業機・刈取レバー２２の回動支点となるレバー支点軸２８と、作業機・刈取レバー２２の作業機クラッチ操作領域での操作に応じて作業機クラッチを入り／切り動作させる作業機クラッチ動作リンク２９と、作業機・刈取レバー２２の刈取クラッチ操作領域での操作に応じて刈取クラッチを入り／切り動作させる刈取クラッチ動作リンク３０とが組み付けられたレバーユニット３３を予め構成し、該レバーユニット３３を機体側のレバー取付フレーム２４に対して着脱自在に取り付ける。【選択図】図６
2008029211.tif 000002
【特許請求の範囲】
【請求項１】
作業機クラッチ操作具及び刈取クラッチ操作具に兼用される作業機・刈取レバーを備え、該作業機・刈取レバーの操作に応じて作業機クラッチ及び刈取クラッチを選択的に入り／切り動作させるコンバインにおいて、前記作業機・刈取レバーと、作業機・刈取レバーの回動支点となるレバー支点軸と、作業機・刈取レバーの作業機クラッチ操作領域での操作に応じて作業機クラッチを入り／切り動作させる作業機クラッチ動作リンクと、作業機・刈取レバーの刈取クラッチ操作領域での操作に応じて刈取クラッチを入り／切り動作させる刈取クラッチ動作リンクとが組み付けられたレバーユニットを予め構成し、該レバーユニットを機体側のレバー取付フレームに対して着脱自在に取り付けたことを特徴とするコンバイン。
【請求項２】
前記レバーユニットの奥側に前処理伝動変速装置を配置し、前記レバーユニットの取り外しにより、前記前処理伝動変速装置のメンテナンス空間を確保することを特徴とする請求項１記載のコンバイン。
【発明の詳細な説明】
【技術分野】
【０００１】
本発明は、作業機クラッチ操作具及び刈取クラッチ操作具に兼用される作業機・刈取レバーを備えるコンバインに関する。
【背景技術】
【０００２】
作業機クラッチ操作具及び刈取クラッチ操作具に兼用される作業機・刈取レバーを備え、該作業機・刈取レバーの操作に応じて作業機クラッチ及び刈取クラッチを選択的に入り／切り動作させるコンバインが知られている（例えば、特許文献１参照）。この種のコンバインは、上記の作業機・刈取レバーの他に、作業機・刈取レバーの回動支点となるレバー支点軸、作業機・刈取レバーの作業機クラッチ操作領域の操作に応じて作業機クラッチを入り／切り動作させる作業機クラッチ動作リンク、作業機・刈取レバーの刈取クラッチ操作領域の操作に応じて刈取クラッチを入り／切り動作させる刈取クラッチ動作リンクなどのクラッチ操作系部材を備えており、これらのクラッチ操作系部材を機体側のレバー取付フレームに取り付ける構成となっている。
【特許文献１】特開２００３−２３２４１４号公報
【発明の開示】
【発明が解決しようとする課題】
【０００３】
しかしながら、従来のコンバインでは、レバー取付フレームに対するクラッチ操作系部材の取り付けや、レバー取付フレームに取り付けられたクラッチ操作系部材の取り外しが容易ではないため、組立性やメンテナンス性を低下させる惧れがあった。また、運転席側から見て、クラッチ操作系部材の奥側に前処理伝動変速装置を配置しているコンバインでは、クラッチ操作系部材が邪魔になり、前処理伝動変速装置のメンテナンスが行い難いという問題があった。
【課題を解決するための手段】
【０００４】
本発明は、上記の如き実情に鑑みこれらの課題を解決することを目的として創作されたものであって、作業機クラッチ操作具及び刈取クラッチ操作具に兼用される作業機・刈取レバーを備え、該作業機・刈取レバーの操作に応じて作業機クラッチ及び刈取クラッチを選択的に入り／切り動作させるコンバインにおいて、前記作業機・刈取レバーと、作業機・刈取レバーの回動支点となるレバー支点軸と、作業機・刈取レバーの作業機クラッチ操作領域での操作に応じて作業機クラッチを入り／切り動作させる作業機クラッチ動作リンクと、作業機・刈取レバーの刈取クラッチ操作領域での操作に応じて刈取クラッチを入り／切り動作させる刈取クラッチ動作リンクとが組み付けられたレバーユニットを予め構成し、該レバーユニットを機体側のレバー取付フレームに対して着脱自在に取り付けたことを特徴とする。このようにすると、作業機・刈取レバー、レバー支点軸、作業機クラッチ動作リンク、刈取クラッチ動作リンクなどのクラッチ操作系部材を、ユニット（アッシ）の状態でレバー取付フレームに対して着脱できるので、クラッチ操作系の組立性やメンテナンス性を向上させることができる。
また、前記レバーユニットの奥側に前処理伝動変速装置を配置し、前記レバーユニットの取り外しにより、前記前処理伝動変速装置のメンテナンス空間を確保することを特徴とする。このようにすると、レバーユニットの取り外して前処理伝動変速装置のメンテナンス空間を確保することにより、クラッチ操作系部材に邪魔されることなく、前処理伝動変速装置のメンテナンスを行うことができる。
【発明を実施するための最良の形態】
【０００５】
次に、本発明の実施の形態について、図面に基づいて説明する。図１及び図２において、１はコンバインであって、該コンバイン１は、茎稈を刈取る前処理部２と、刈取茎稈から穀粒を脱穀し、この穀粒を選別する脱穀部３と、選別済みの穀粒を貯溜する穀粒タンク４と、脱穀済みの排稈を後処理する後処理部５と、各種の操作具が設けられる操作部６と、クローラ式の走行部７とを備えて構成されている。
【０００６】
図３に示すように、操作部６の下方には、前処理部２、脱穀部３、後処理部５、走行部７などに動力を供給するエンジン８が搭載されている。エンジン８から脱穀部３に至る動力供給経路には、脱穀部３への動力供給を入り／切りする作業機クラッチ（図示せず）が介設されており、また、エンジン８から前処理部２に至る動力供給経路には、前処理動力を変速する前処理伝動変速装置９と、前処理部２への動力供給を入り／切りする刈取クラッチ（図示せず）とが介設されている。作業機クラッチ及び刈取クラッチは、通常、ベルトテンション式のクラッチ機構を用いて構成されるが、本発明に用いるクラッチ機構の方式は、これに限定されない。
【０００７】
前処理伝動変速装置９は、ギヤ伝動機構を内装した前処理伝動ギヤケース１０と、エンジン動力を無段変速する搬送ＨＳＴ１１と、搬送ＨＳＴ１１を冷却する冷却ファン１２と、搬送ＨＳＴ１１の斜板調節を行うＨＳＴ斜板調節モータ１３と、前処理動力を出力する前処理駆動プーリ１４とを備えて構成されており、搬送ＨＳＴ１１で無段変速された動力が前処理伝動ギヤケース１０を介して前処理駆動プーリ１４に伝動される。そして、前処理駆動プーリ１４から出力される前処理動力は、伝動ベルト１５を介して前処理入力プーリ１６に伝動されるようになっている。尚、搬送ＨＳＴ１１は、可変容量油圧ポンプと固定容量油圧モータを組み合せて構成される静油圧式無段変速装置であり、前処理動力（脱穀フィードチェンを含む搬送系動力）を車速に連動させるために自動的に変速制御されるようになっている。
【０００８】
エンジン８を覆うエンジンカバー１７の上部には、オペレータが座る座席１８が設けられている。そして、座席１８の前下方にステップ１９を形成し、座席１８の前方に操向レバー２０を配置し、さらに、座席１８の左側方に主変速レバー２１、作業機・刈取レバー２２、ナローガイド出入レバー２３などを配置することにより操作部６が構成されている。以下、本発明の要部である作業機・刈取レバー２２について、図３〜図６を参照して詳細に説明する。
【０００９】
作業機・刈取レバー２２は、作業機クラッチ操作具及び刈取クラッチ操作具に兼用されるクラッチ操作具であり、座席１８の左側方に立設されるレバー取付フレーム２４に取り付けられ、レバーガイドパネル２５のガイド溝２５ａに沿って操作される。レバー取付フレーム２４は、作業機・刈取レバー２２が取り付けられるパネルフレーム２６と、該パネルフレーム２６を支える複数の支柱フレーム２７とを備えて構成されている。支柱フレーム２７は、通常、丸パイプ、角パイプなどのパイプ部材を用いて構成されるが、金属プレートを曲げ加工した曲げプレートで構成してもよい。このようにすると、支柱フレームに広い平面部を確保できるので、この平面部を利用して、リレー、ヒューズボックスなどの電装部品を配置することが可能になる。特に、曲げプレートからなる支柱フレームに電装部品を集中的に配置するようにした場合には、支柱フレームに配電盤のような役割を持たせることができるだけでなく、電装部品の整備性も向上させることができる。
【００１０】
本実施形態の作業機・刈取レバー２２は、前後方向の回動操作及び左右方向の傾倒操作が許容されており、クランク状に曲折するガイド溝２５ａに沿って操作することにより、作業機クラッチ及び刈取クラッチを選択的に入り／切りすることができる。具体的に説明すると、レバーガイドパネル２５に形成されるガイド溝２５ａは、作業機クラッチ操作領域である第一の前後方向操作領域２５ｂと、刈取クラッチ操作領域である第二の前後方向操作領域２５ｃと、第一の前後方向操作領域２５ｂの前端と第二の前後方向操作領域２５ｃの後端を連続される左右方向操作領域２５ｄとを規定している。そして、第一の前後方向操作領域２５ｂの後端操作位置では、作業機クラッチ及び刈取クラッチが切りとなり、第一の前後方向操作領域２５ｂの前端操作位置及び第二の前後方向操作領域２５ｃの後端操作位置では、作業機クラッチのみが入りとなり、第二の前後方向操作領域２５ｃの前端操作位置では、作業機クラッチ及び刈取クラッチが入りとなるように、後述のクラッチ操作系を介して、作業機・刈取レバー２２が作業機クラッチ及び刈取クラッチに連繋されている。
【００１１】
上記のようなクラッチ操作を可能にするクラッチ操作系には、作業機・刈取レバー２２の回動支点となるレバー支点軸２８、作業機・刈取レバー２２の作業機クラッチ操作領域の操作に応じて作業機クラッチを入り／切り動作させる作業機クラッチ動作リンク２９、作業機・刈取レバー２２の刈取クラッチ操作領域の操作に応じて刈取クラッチを入り／切り動作させる刈取クラッチ動作リンク３０などのクラッチ操作系部材が含まれている。例えば、作業機クラッチ動作リンク２９は、作業機クラッチ操作領域で作業機・刈取レバー２２に係合して、作業機・刈取レバー２２の操作に追従する係合リンク２９ａと、ワイヤ３１を介して作業機クラッチに連繋されるワイヤ連繋リンク２９ｂと、両リンク２９ａ、２９ｂを連結する連結リンク２９ｃとを備えて構成されており、刈取クラッチ動作リンク３０は、刈取クラッチ操作領域で作業機・刈取レバー２２に係合して、作業機・刈取レバー２２の操作に追従する係合リンク３０ａと、ワイヤ３２を介して刈取クラッチに連繋されるワイヤ連繋リンク３０ｂと、両リンク３０ａ、３０ｂを連結する連結リンク３０ｃとを備えて構成されている。
【００１２】
本発明のコンバイン１では、上記のクラッチ操作系部材をレバー取付フレーム２４に取付けるにあたり、作業機・刈取レバー２２、レバー支点軸２８、作業機クラッチ動作リンク２９及び刈取クラッチ動作リンク３０が組み付けられたレバーユニット３３を予め構成し、該レバーユニット３３をレバー取付フレーム２４に対して着脱自在に取り付けるようになっている。このようにすると、作業機・刈取レバー２２、レバー支点軸２８、作業機クラッチ動作リンク２９、刈取クラッチ動作リンク３０などのクラッチ操作系部材を、レバー取付フレーム２４に対して別々に取付ける場合に比べ、クラッチ操作系の組立性やメンテナンス性を飛躍的に向上させることができる。
【００１３】
次に、レバー取付フレーム２４に対するレバーユニット３３の取付手順について説明する。レバーユニット３３は、作業機・刈取レバー２２、レバー支点軸２８、作業機クラッチ動作リンク２９、刈取クラッチ動作リンク３０などのクラッチ操作系部材を取付ブラケット３４に組み付けることにより構成される。取付ブラケット３４は、前後一対のフランジ部３４ａを有しており、各フランジ部３４ａには、それぞれ左右一対の取付ボルト３５が上方に向けて突設されている。
【００１４】
一方、レバー取付フレーム２４のパネルフレーム２６には、作業機・刈取レバー２２が挿通されるレバー挿通孔２６ａと、取付ボルト３５が挿通されるボルト挿通孔（図示せず）が形成されている。そして、レバーユニット３３をレバー取付フレーム２４に取付ける際には、作業機・刈取レバー２２を下方からレバー挿通孔２６ａに挿通すると共に、取付ボルト３５を下方からボルト挿通孔に挿通し、各取付ボルト３５をナット３６で固定する。これにより、レバーユニット３３がレバー取付フレーム２４に対して着脱自在に取付けられる。尚、上記の取付作業は、レバーガイドパネル２５を取り外した状態で行われ、レバーユニット３３の取付後に、パネルフレーム２６の上面側にレバーガイドパネル２５が取付けられる。
【００１５】
次に、コンバイン１のメンテナンス方法について説明する。図３に示すように、エンジン８を覆うエンジンカバー１７は、その外側下端部を支点として外方に回動自在となっており、通常時は、エンジンカバーフック１７ａによって閉位置に係止されている。そして、エンジンカバーフック１７ａによる係止を解除し、エンジンカバー１７を外方に回動させると、エンジン８の上方が開放されるだけでなく、レバーユニット３３も露出状態になるので、エンジン８やレバーユニット３３のメンテナンスが可能になると共に、レバーユニット３３の着脱も容易に行うことができる。また、レバーユニット３３を取り外すと、前述した前処理伝動変速装置９のメンテナンスも容易になる。つまり、本実施形態の前処理伝動変速装置９は、エンジン８及びレバーユニット３３の奥側に配置されているが、レバーユニット３３を取り外すと、エンジン８とレバー取付フレーム２４との間にメンテナンス空間が確保されるので、この空間を介して前処理伝動変速装置９のメンテナンスを行うことが可能になる。
【００１６】
叙述の如く構成された本実施形態によれば、作業機クラッチ操作具及び刈取クラッチ操作具に兼用される作業機・刈取レバー２２を備え、該作業機・刈取レバー２２の操作に応じて作業機クラッチ及び刈取クラッチを選択的に入り／切り動作させるコンバイン１において、作業機・刈取レバー２２と、作業機・刈取レバー２２の回動支点となるレバー支点軸２８と、作業機・刈取レバー２２の作業機クラッチ操作領域での操作に応じて作業機クラッチを入り／切り動作させる作業機クラッチ動作リンク２９と、作業機・刈取レバー２２の刈取クラッチ操作領域での操作に応じて刈取クラッチを入り／切り動作させる刈取クラッチ動作リンク３０とが組み付けられたレバーユニット３３を予め構成し、該レバーユニット３３を機体側のレバー取付フレーム２４に対して着脱自在に取り付けたので、クラッチ操作系の組立性やメンテナンス性を向上させることができる。
【００１７】
また、本実施形態では、レバーユニット３３の奥側に前処理伝動変速装置９を配置し、レバーユニット３３の取り外しにより、前処理伝動変速装置９のメンテナンス空間を確保するので、クラッチ操作系部材に邪魔されることなく、前処理伝動変速装置９のメンテナンスを行うことができる。
【図面の簡単な説明】
【００１８】
【図１】コンバインの全体側面図である。
【図２】コンバインの全体平面図である。
【図３】エンジンカバーを開いた状態を示すコンバインの要部斜視図である。
【図４】エンジン及びエンジンカバーを取り除いた状態を示すコンバインの要部側面図である。
【図５】エンジン及びエンジンカバーを取り除いた状態を示すコンバインの要部分解斜視図である。
【図６】レバーユニットの斜視図である。
【符号の説明】
【００１９】
１    コンバイン
２    前処理部
３    脱穀部
６    操作部
８    エンジン
９    前処理伝動変速装置
１７  エンジンカバー
１８  座席
２２  作業機・刈取レバー
２４  レバー取付フレーム
２５  レバーガイドパネル
２８  レバー支点軸
２９  作業機クラッチ動作リンク
３０  刈取クラッチ動作リンク
３３  レバーユニット
【図１】
2008029211.tif 000003
【図２】
2008029211.tif 000004
【図３】
2008029211.tif 000005
【図４】
2008029211.tif 000006
【図５】
2008029211.tif 000007
【図６】
2008029211.tif 000008